Podtech/llm-jp-corpus-v4-ja_patent huggingface dataset:
【手続補正書】
【提出日】平成19年12月7日(2007.12.7)
【手続補正１】
【補正対象書類名】特許請求の範囲
【補正対象項目名】全文
【補正方法】変更
【補正の内容】
【特許請求の範囲】
【請求項１】
ａ）支持体、ならびに、少なくとも１種のエラストマーバインダ、化学線により光重合する少なくとも１種のエチレン性不飽和化合物、および、少なくとも１種の光開始剤または光開始剤系を含む少なくとも１つの光重合性層とを備える感光性要素を準備すること；
ｂ）前記支持体の反対側の前記光重合性層に隣接するフォトマスクを配置すること；
ｃ）前記フォトマスクを通して、２００と３００ｎｍの間の紫外線で前記感光性要素を露光すること；
ｄ）前記フォトマスクを通して、３１０と４００ｎｍの間の紫外線で前記感光性要素を露光して紫外線に露光される前記光重合性層の部分を光重合させること；ならびに、
ｅ）前記露光後の感光性要素を処理して紫外線に露光されなかった前記光重合性層の未重合部分を除去することにより、印刷に適した凸版表面を形成すること；
をこの順序で含むことを特徴とするフレキソ印刷版の作製方法。
【請求項２】
前記処理ステップｅ）は、
（Ａ）前記未重合部分を洗い去るために、前記露光後の感光性要素を、溶剤溶液、水性溶液、半水性溶液、および水からなる群から選択される少なくとも１種の洗浄液で現像すること；および
（Ｂ）前記未重合部分を融解、流動、または軟化させるのに十分な温度に前記露光後の感光性要素を加熱し、前記露光後の感光性要素を吸収材料に接触させて前記未重合部分を除去すること；
からなる群から選択されることを特徴とする請求項１に記載の方法。
【請求項３】
請求項１の方法により作製されることを特徴とするフレキソ印刷版。
【手続補正２】
【補正対象書類名】明細書
【補正対象項目名】００７４
【補正方法】変更
【補正の内容】
【００７４】
乾燥時間に対する厚さの相対変化と乾燥時間に対する重さの相対変化のデータをグラフにプロットした。データにより、主露光の前のＵＶ−Ｃ光による処理は、溶剤を用いる洗浄工程による版の膨潤に影響を及ぼし得ることが示された。ＵＶ−Ｃ露光での１から５分間の予備露光では、版の膨潤が増大した。約５分を超えてＵＶ−Ｃによる予備露光時間を増すと、版の膨潤または重量変化はほとんどなかった。
本発明は以下の実施の態様を含むものである。
１．ａ）支持体、ならびに、少なくとも１種のエラストマーバインダ、化学線により光重合する少なくとも１種のエチレン性不飽和化合物、および、少なくとも１種の光開始剤または光開始剤系を含む少なくとも１つの光重合性層とを備える感光性要素を準備すること；
ｂ）前記支持体の反対側の前記光重合性層に隣接するフォトマスクを配置すること；
ｃ）前記フォトマスクを通して、２００と３００ｎｍの間の紫外線で前記感光性要素を露光すること；
ｄ）前記フォトマスクを通して、３１０と４００ｎｍの間の紫外線で前記感光性要素を露光して紫外線に露光される前記光重合性層の部分を光重合させること；ならびに、
ｅ）前記露光後の感光性要素を処理して紫外線に露光されなかった前記光重合性層の未重合部分を除去することにより、印刷に適した凸版表面を形成すること；
をこの順序で含むことを特徴とするフレキソ印刷版の作製方法。
２．前記感光性要素は、前記支持体の反対側で前記の少なくとも１種の光重合性層の最も外側の表面の上に配置された赤外線感受性剥離層をさらに備え、ステップｂ）で、前記フォトマスクは、赤外線レーザ光で前記赤外線感受性層を画像状に露光することにより得られることを特徴とする前記１に記載の方法。
３．前記赤外線レーザ光は前記光重合性層から前記赤外線感受性層を剥離することを特徴とする前記２に記載の方法。
４．前記フォトマスクは写真版（phototool）であることを特徴とする前記１に記載の方法。
５．ステップｄ）の後に、前記フォトマスクを除去することをさらに含むことを特徴とする前記１に記載の方法。
６．前記処理ステップｅ）は、
（Ａ）前記未重合部分を洗い去るために、前記露光後の感光性要素を、溶剤溶液、水性溶液、半水性溶液、および水からなる群から選択される少なくとも１種の洗浄液で現像すること；および
（Ｂ）前記未重合部分を融解、流動、または軟化させるのに十分な温度に前記露光後の感光性要素を加熱し、前記露光後の感光性要素を吸収材料に接触させて前記未重合部分を除去すること；
からなる群から選択されることを特徴とする前記１に記載の方法。
７．前記感光性要素は前記光重合性層の最も外側の表面の上に少なくとも１つの追加の層をさらに備え、前記追加の層は、感光性になり得るエラストマー層、感光性エラストマー層、剥離層、およびワックス層からなる群から選択されることを特徴とする前記１に記載の方法。
８．前記感光性要素の最も外側の層の上側に配置された赤外線感受性のレーザ剥離層をさらに備えることを特徴とする前記７に記載の方法。
９．前記剥離層は、前記光重合性層の表面にしっかりと固定され得る少なくとも１種の艶消剤を含むことを特徴とする前記７に記載のフレキソ印刷版。
１０．前記１の方法により作製されることを特徴とするフレキソ印刷版。
１１．前記処理ステップｅ）の後、２００から３００ｎｍの紫外線で前記感光性要素を露光することをさらに含むことを特徴とする前記１に記載の方法。
１２．前記支持体を通して３１０と４００ｎｍの間の紫外線で前記感光性要素を露光することをさらに含むことを特徴とする前記１に記載の方法。
【手続補正書】
【提出日】平成20年2月1日(2008.2.1)
【手続補正１】
【補正対象書類名】特許請求の範囲
【補正対象項目名】全文
【補正方法】変更
【補正の内容】
【特許請求の範囲】
【請求項１】
電極ペーストの塗布膜にフォトマスクを介して露光して電極パターンを形成するに際し、該電極ペースト塗布膜を、以下の（ａ）、（ｂ）、（ｃ）の各式を満たすフォトマスクを用いて、２回以上露光することを特徴とするディスプレイ部材の製造方法。
１０μｍ≦Ｗ１ ……式（ａ）
１０μｍ≦Ｗ２ ……式（ｂ）
５μｍ≦｜Ｗ１−Ｗ２｜ ……式（ｃ）
ここで、Ｗ１：１回目の露光に用いるフォトマスクの線幅
Ｗ２：２回目の露光に用いるフォトマスクの線幅
【請求項２】
１回目の露光に用いるフォトマスクの線幅をＷ１、２回目の露光に用いるフォトマスクの線幅をＷ２としたとき、Ｗ１、Ｗ２が以下の（ｄ）式を満たすようにして露光することを特徴とする請求項１記載のディスプレイ部材の製造方法。
０．２５＜Ｗ１／Ｗ２＜８ ……式（ｄ）
【請求項３】
フォトマスクの線幅が１０〜２００μｍであることを特徴とする請求項１または２記載のディスプレイ部材の製造方法。
【請求項４】
電極パターンを形成した後、誘電体を形成する工程を含むことを特徴とする請求項１〜３のいずれかに記載のディスプレイ部材の製造方法。
【請求項５】
電極パターンと誘電体とを同時に焼成して、ディスプレイ部材を形成することを特徴とする請求項４記載のディスプレイ部材の製造方法。
【請求項６】
電極パターンのキュア工程を含むことを特徴とする請求項１〜５のいずれかに記載のディスプレイ部材の製造方法。
【請求項７】
電極パターンのキュアを１３０℃〜２５０℃の温度範囲で行うことを特徴とする請求項６記載のディスプレイ部材の製造方法。
【請求項８】
ガラスを主成分とする誘電体および／または絶縁体パターンを形成する工程を含むことを特徴とする請求項１〜７のいずれかに記載のディスプレイの製造方法。
【請求項９】
誘電体および／または絶縁体パターンが、画素を仕切る隔壁であることを特徴とする請求項８記載のディスプレイ部材の製造方法。
【請求項１０】
電極パターン、誘電体、誘電体および／または絶縁体パターンを同時に焼成することを特徴とする請求項８または９記載のディスプレイ部材の製造方法。
【請求項１１】
電極ペーストが感光性ペーストであることを特徴とする請求項１〜１０のいずれに記載のディスプレイ部材の製造方法。
【請求項１２】
請求項１〜１１のいずれかに記載の製造方法により製造されてなることを特徴とするディスプレイ部材。
【請求項１３】
請求項１２に記載のディスプレイ部材が用いられてなることを特徴とするディスプレイ。
【手続補正２】
【補正対象書類名】明細書
【補正対象項目名】００１９
【補正方法】変更
【補正の内容】
【００１９】
上述した目的を達成する本発明のディスプレイ部材の製造方法は、電極ペーストの塗布膜にフォトマスクを介して露光して電極パターンを形成するに際し、該電極ペースト塗布膜を、以下の（ａ）、（ｂ）、（ｃ）の各式を満たすフォトマスクを用いて、２回以上露光することを特徴とするディスプレイ部材の製造方法である。
１０μｍ≦Ｗ１ ……式（ａ）
１０μｍ≦Ｗ２ ……式（ｂ）
５μｍ≦｜Ｗ１−Ｗ２｜ ……式（ｃ）
ここで、Ｗ１：１回目の露光に用いるフォトマスクの線幅
Ｗ２：２回目の露光に用いるフォトマスクの線幅
【手続補正３】
【補正対象書類名】明細書
【補正対象項目名】００２５
【補正方法】変更
【補正の内容】
【００２５】
本発明のディスプレイ部材の製造方法は、電極ペーストの塗布膜にフォトマスクを介して露光して電極パターンを形成するに際して、後述する式（ａ）〜（ｃ）の各式を満たすフォトマスクを用いて、該電極ペースト塗布膜を２回以上露光することを特徴とするものである。
【手続補正４】
【補正対象書類名】明細書
【補正対象項目名】００３２
【補正方法】変更
【補正の内容】
【００３２】
本発明者らの各種知見によれば、特に、１回目の露光に用いるフォトマスクの線幅をＷ１、２回目の露光に用いるフォトマスクの線幅をＷ２としたとき、Ｗ１、Ｗ２が以下の（ａ）、（ｂ）、（ｃ）の各式を満たすフォトマスクを用いて露光を行うことが重要である。
１０μｍ≦Ｗ１         ……式（ａ）
１０μｍ≦Ｗ２         ……式（ｂ）
５μｍ≦｜Ｗ１−Ｗ２｜ ……式（ｃ）
【手続補正書】
【提出日】平成19年12月19日(2007.12.19)
【手続補正１】
【補正対象書類名】特許請求の範囲
【補正対象項目名】全文
【補正方法】変更
【補正の内容】
【特許請求の範囲】
【請求項１】
液滴を吐出させるためのエネルギを発生する吐出エネルギ発生素子が面上に設けられた素子基板と、
複数の前記吐出エネルギ発生素子を有する発泡室と、液滴を吐出する第１の吐出口部と、前記発泡室と前記第１の吐出口部とを連通する第２の吐出口部と、前記発泡室に液体を供給する液体供給路と、を構成するために前記面上に接合された流路構成基板と、
を備えたインクジェット記録ヘッドにおいて、
前記複数の吐出エネルギ発生素子は前記第２の吐出口部の中心または重心に対して対称に配置されており、
前記面に対して垂直な方向から見た平面透視図において、前記複数の吐出エネルギ発生素子の少なくとも１つは、前記第２の吐出口部の内側の領域と、前記第２の吐出口部の外側の領域とを跨ぐように配置されていることを特徴とするインクジェット記録ヘッド。
【請求項２】
前記面に対して垂直な方向から見た平面透視図において、前記第２の吐出口部の内側の領域と、前記第２の吐出口部の外側の領域とを跨ぐように配置されている前記吐出エネルギ発生素子は、前記液体供給路の前記発泡室側の開口部の幅方向に、該開口部の幅以上の長さを有している、請求項１に記載のインクジェット記録ヘッド。
【請求項３】
前記面に対して垂直な方向から見た平面透視図において、少なくとも１つの前記吐出エネルギ発生素子の中心が第２の吐出口部の外縁上に配置されている、請求項１または２に記載のインクジェット記録ヘッド。
【請求項４】
前記吐出エネルギ発生素子は１つの前記発泡室に対して少なくとも４つ以上備えられている、請求項１から３のいずれか１項に記載のインクジェット記録ヘッド。
【請求項５】
前記面に対して垂直な方向から見た平面透視図において、前記第２の吐出口部の内側の領域と、前記第２の吐出口部の外側の領域とを跨ぐように配置されている前記吐出エネルギ発生素子は、同じ前記発泡室に備えられている他の前記吐出エネルギ発生素子よりも面積が大きい、請求項１から４のいずれか１項に記載のインクジェット記録ヘッド。
【手続補正２】
【補正対象書類名】明細書
【補正対象項目名】００１５
【補正方法】変更
【補正の内容】
【００１５】
上記目的を達成するため、本発明のインクジェット記録ヘッドは、液滴を吐出させるためのエネルギを発生する吐出エネルギ発生素子が面上に設けられた素子基板と、複数の前記吐出エネルギ発生素子を有する発泡室と、液滴を吐出する第１の吐出口部と、前記発泡室と前記第１の吐出口部とを連通する第２の吐出口部と、前記発泡室に液体を供給する液体供給路と、を構成するために前記面上に接合された流路構成基板と、を備えたインクジェット記録ヘッドにおいて、前記複数の吐出エネルギ発生素子は前記第２の吐出口部の中心または重心に対して対称に配置されており、前記面に対して垂直な方向から見た平面透視図において、前記複数の吐出エネルギ発生素子の少なくとも１つは、前記第２の吐出口部の内側の領域と、前記第２の吐出口部の外側の領域とを跨ぐように配置されていることを特徴とする。
【手続補正３】
【補正対象書類名】明細書
【補正対象項目名】００３６
【補正方法】変更
【補正の内容】
【００３６】
図４（ａ）の透視平面図に示すように、比較的小さい径を有する第１の吐出部４と比較的大きい径を有する第２の吐出部１０とは、互いに相似する形状を有し、かつ、素子基板２の主面に対して垂直に延びて線Ａ−Ａ’と線Ｂ−Ｂ’との交点を通る軸線を共通の中心軸としている。また、図４（ｂ）および図４（ｃ）に示すように、第２の吐出部１０は、発泡室１１側の開口面から第１の吐出口部４の開口面にかけて、径が傾斜をもってテーパー状に次第に小さくなる円錐台形状を有している。
【手続補正４】
【補正対象書類名】明細書
【補正対象項目名】００３７
【補正方法】変更
【補正の内容】
【００３７】
また、ヒータ１ａ，１ｂの形成面（素子基板２の主面）に対してほぼ直交する方向に液滴を安定して吐出させるために、２つのヒータ１ａ，１ｂは、図４（ａ）に示す透視平面図で見た場合に第２の吐出口部１０の中心または重心に対して実質的に対称に配置されており、これにより液滴の吐出方向のバランスがとられている。なお、第１の吐出口部４の中心を通り素子基板２の主面に垂直ないかなる断面においても、第２の吐出口部１０の側壁はほぼ直線形状になっており、かつ、第２の吐出口部１０の、第１の吐出口部４側の開口面および発泡室１１側の開口面は、素子基板２の主面と平行になっている。
【手続補正５】
【補正対象書類名】明細書
【補正対象項目名】００３８
【補正方法】変更
【補正の内容】
【００３８】
さらに、本実施形態では、２つのヒータ１ａ，１ｂのそれぞれが、図４（ａ）に示す透視平面図で見た場合に、第２の吐出口部１０の内側の領域とその外側の領域とに跨がるように、素子基板２上に配置されている。さらに、ヒータ１ａ，１ｂは、インク供給路９の発泡室側の開口部の幅方向に、その開口部の幅以上の長さを有している。
【手続補正６】
【補正対象書類名】明細書
【補正対象項目名】００５２
【補正方法】変更
【補正の内容】
【００５２】
（第３の実施形態）
図７は本発明の第３の実施形態によるインクジェット記録ヘッドのノズル構造を示す図であり、図７（ａ）はインクジェット記録ヘッドの複数のノズルのうちの１つを基板に対して垂直な方向から見た透視平面図、図７（ｂ）は図７（ａ）のＡ−Ａ’線に沿った断面図、図７（ｃ）は図７（ａ）のＢ−Ｂ’線に沿った断面図である。
【手続補正７】
【補正対象書類名】明細書
【補正対象項目名】００５８
【補正方法】変更
【補正の内容】
【００５８】
（第４の実施形態）
図８は本発明の第４の実施形態によるインクジェット記録ヘッドのノズル構造を示す図であり、図８（ａ）はインクジェット記録ヘッドの複数のノズルのうちの１つを基板に対して垂直な方向から見た透視平面図、図８（ｂ）は図８（ａ）のＡ−Ａ’線に沿った断面図、図８（ｃ）は図８（ａ）のＢ−Ｂ’線に沿った断面図である。
【手続補正書】
【提出日】平成20年7月4日(2008.7.4)
【手続補正１】
【補正対象書類名】特許請求の範囲
【補正対象項目名】全文
【補正方法】変更
【補正の内容】
【特許請求の範囲】
【請求項１】
洗浄剤がアニロックス式インキ装置（４）に投入される、印刷機（１）のアニロックス式インキ装置（４）を洗浄する方法において、
前記洗浄剤が湿し装置（５）、または該湿し装置（５）の一部を介して前記アニロックス式インキ装置（４）へ投入されることを特徴とする方法。
【請求項２】
前記洗浄剤は水着けローラ（２０）、および／ または、前記湿し装置（５）の、前記水
着けローラ（２０）だけに当接する湿し装置ローラ（２１）に噴射または噴霧される、請
求項１に記載の方法。
【請求項３】
前記洗浄剤は前記湿し装置（５）からブリッジローラ（２２）を介して前記アニロック
ス式インキ装置（４）へ運ばれる、請求項２に記載の方法。
【請求項４】
前記ブリッジローラ（２２）は前記水着けローラ（２０）に当接しており、洗浄モード
の時にだけインキ着けローラ（７）に当接する、請求項３に記載の方法。
【請求項５】
前記水着けローラ（２０）は前記洗浄モードの時に前記印刷機（１）の版胴（２）から離される、請求項４に記載の方法。
【請求項６】
前記洗浄剤は前記インキ着けローラ（７）からスクリーンローラ（６）、および、該スクリーンローラ（６）に当接する少なくとも１つの第１のインキ装置ローラ（８；９）を
介して、該第１のインキ装置ローラ（８；９）に当接する他のインキ装置ローラ（１０）へ運ばれ、該他のインキ装置ローラ（１０）から掻き取られる、請求項４または５に記載
の方法。
【請求項７】
請求項１から６のいずれか１項に記載の方法を実行するように構成された印刷機（１）。
【手続補正書】
【提出日】平成19年12月17日(2007.12.17)
【手続補正１】
【補正対象書類名】特許請求の範囲
【補正対象項目名】全文
【補正方法】変更
【補正の内容】
【特許請求の範囲】
【請求項１】
記録材を給紙する給紙手段と、
前記記録材の表面から反射する反射光を読み取ることにより記録材表面の映像を得る映像読取装置を含み、該映像読取装置によって得られた前記記録材表面の映像に基づいて該記録材の第１の属性を判定する反射光判定手段と、
前記記録材を透過する透過光を用いて前記記録材の第２の属性を判定する透過光判定手段と、
前記第１の属性と前記第２の属性とに基づいて前記記録材の種類に係わる情報を判別する判別手段と、を備え、
前記判別手段は、
前記給紙手段によって給紙されて停止した前記記録材に対して、前記反射光判定手段及び前記透過光判定手段の判定結果に基づいて前記記録材の種類に係わる情報を判別して判別結果を記録し、
記録された前記判別結果に基づいて設定した印字条件に基づいて画像形成動作を開始した際に、前記給紙手段から前記記録材の次に給紙されて搬送途中にある記録材に対する前記透過光判定手段からの判定結果に基づいて前記記録材の種類を判別する
ことを特徴とする画像形成装置。
【請求項２】
前記装置は、像担持体に潜像を形成する露光手段、前記像担持体上の潜像を現像剤像として可視化する現像手段、前記記録材に前記前記現像剤像を転写する転写手段、および前記転写手段によって前記現像剤像を転写された前記記録材を所定の定着処理条件にて加熱及び加圧することにより前記現像剤像を前記記録材に定着させる定着手段を備え、
前記判別手段の判別結果に基づいて、前記露光手段、前記現像手段、前記転写手段、及び前記定着手段のうちの少なくとも一つを制御する制御手段を有する
ことを特徴とする請求項１に記載の画像形成装置。
【請求項３】
前記画像形成装置は、複数種の記録材を保持するために複数の前記給紙手段を備え、
前記記録材判別装置は、複数の前記給紙手段と前記転写手段の間の記録材搬送路途中に配置され、
記録材判別装置が判別した記録材に関する情報を、各給紙手段毎に記憶する記録材情報記憶手段を備え、
前記露光手段、前記現像手段、前記転写手段、及び前記定着手段のうちの少なくとも一つの動作条件は、前記画像形成動作の開始前に、前記記録材情報記憶手段に記憶されている記録材に関する情報を使用して、決定され、
前記画像形成動作の開始後の前記記録材判別装置の判別結果が前記動作条件を決定した前記画像形成動作の開始前の前記記録材に関する情報と異なる場合に、前記画像形成動作の開始後の前記記録材判別装置の判別結果に基づいて切替えられる
ことを特徴とする請求項２に記載の画像形成装置。
【手続補正２】
【補正対象書類名】明細書
【補正対象項目名】発明の名称
【補正方法】変更
【補正の内容】
【発明の名称】画像形成装置
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】変更
【補正の内容】
【００２６】
本発明は、このような目的を達成するために、請求項１に記載の発明は、画像形成装置であって、記録材を給紙する給紙手段と、前記記録材の表面から反射する反射光を読み取ることにより記録材表面の映像を得る映像読取装置を含み、該映像読取装置によって得られた前記記録材表面の映像に基づいて該記録材の第１の属性を判定する反射光判定手段と、前記記録材を透過する透過光を用いて前記記録材の第２の属性を判定する透過光判定手段と、前記第１の属性と前記第２の属性とに基づいて前記記録材の種類に係わる情報を判別する判別手段と、を備え、前記判別手段は、前記給紙手段によって給紙されて停止した前記記録材に対して、前記反射光判定手段及び前記透過光判定手段の判定結果に基づいて前記記録材の種類に係わる情報を判別して判別結果を記録し、記録された前記判別結果に基づいて設定した印字条件に基づいて画像形成動作を開始した際に、前記給紙手段から前記記録材の次に給紙されて搬送途中にある記録材に対する前記透過光判定手段からの判定結果に基づいて前記記録材の種類を判別することを特徴とする。
【手続補正１５】
【補正対象書類名】明細書
【補正対象項目名】００２７
【補正方法】変更
【補正の内容】
【００２７】
また、請求項２に記載に発明は、請求項１に記載の画像形成装置であって、像担持体に潜像を形成する露光手段、前記像担持体上の潜像を現像剤像として可視化する現像手段、前記記録材に前記前記現像剤像を転写する転写手段、および前記転写手段によって前記現像剤像を転写された前記記録材を所定の定着処理条件にて加熱及び加圧することにより前記現像剤像を前記記録材に定着させる定着手段を備え、前記判別手段の判別結果に基づいて、前記露光手段、前記現像手段、前記転写手段、及び前記定着手段のうちの少なくとも一つを制御する制御手段を有することを特徴とするものである。
また、請求項３に記載の発明は、請求項２に記載の画像形成装置であって、複数種の記録材を保持するために複数の前記給紙手段を備え、前記記録材判別装置は、複数の前記給紙手段と前記転写手段の間の記録材搬送路途中に配置され、記録材判別装置が判別した記録材に関する情報を、各給紙手段毎に記憶する記録材情報記憶手段を備え、前記露光手段、前記現像手段、前記転写手段、及び前記定着手段のうちの少なくとも一つの動作条件は、前記画像形成動作の開始前に、前記記録材情報記憶手段に記憶されている記録材に関する情報を使用して、決定され、前記画像形成動作の開始後の前記記録材判別装置の判別結果が前記動作条件を決定した前記画像形成動作の開始前の前記記録材に関する情報と異なる場合に、前記画像形成動作の開始後の前記記録材判別装置の判別結果に基づいて切替えられることを特徴とするものである。
【手続補正書】
【提出日】平成19年12月19日(2007.12.19)
【手続補正１】
【補正対象書類名】特許請求の範囲
【補正対象項目名】全文
【補正方法】変更
【補正の内容】
【特許請求の範囲】
【請求項１】
記録ヘッドからインク液滴を記録媒体に吐出して記録を行う記録装置であって、
少なくとも前記記録ヘッドのインク吐出部と前記記録媒体との間の空間にイオンを放出するイオン放出手段と、
前記記録媒体に対して前記イオン放出手段によって放出されたイオンの極性とは逆極性に荷電する荷電手段と、
前記記録ヘッドから、前記イオン放出手段によってイオンが放出された空間を経て、前記荷電手段によって荷電された記録媒体にインクを吐出して記録を行う記録手段とを有することを特徴とする記録装置。
【請求項２】
前記記録手段により記録がなされた記録媒体を除電する除電手段をさらに有することを特徴とする請求項１に記載の記録装置。
【請求項３】
前記記録手段による記録のために前記記録ヘッドから吐出され、前記記録に用いられることなく浮遊するインクミストを回収する回収手段をさらに有することを特徴とする請求項１又は２に記載の記録装置。
【請求項４】
前記回収手段は、
前記荷電手段と同じ極性をもつ電極と、
前記電極により回収されたインクミストのインクを貯留する吸収体を含む収集部とを有することを特徴とする請求項３に記載の記録装置。
【請求項５】
前記イオン放出手段は、前記記録媒体の記録領域の端部に設けられることを特徴とする請求項１乃至４のいずれか１項に記載の記録装置。
【請求項６】
前記イオン放出手段は、
イオンを発生するイオン発生部と、
前記イオン発生部によって発生したイオンを拡散させるファンとを有することを特徴とする請求項５に記載の記録装置。
【請求項７】
前記回収手段は、前記イオン放出手段が設けられる位置とは前記記録領域を挟んだ反対側に設けられることを特徴とする請求項５に記載の記録装置。
【請求項８】
前記記録ヘッドを往復走査する走査手段をさらに有し、
前記イオン放出手段は、前記走査手段により前記記録ヘッドと一体に走査される位置に設けられることを特徴とする請求項１乃至４のいずれか１項に記載の記録装置。
【請求項９】
前記記録ヘッドを往復走査する走査手段をさらに有し、
前記イオン放出手段は、前記走査手段による走査の方向に関し、前記記録ヘッドの両端に第１と第２のイオン放出部を設けることを特徴とする請求項１乃至４のいずれか１項に記載の記録装置。
【請求項１０】
前記第１と第２のイオン放出部には夫々、前記走査手段による走査の方向に空気を取り込む開口部が設けられていることを特徴とする請求項９に記載の記録装置。
【請求項１１】
前記記録ヘッドは、夫々が複数のインク吐出ノズルからなる複数のノズル列を備え、
前記イオン放出手段は、前記複数のノズル列の間にもさらに設けられることを特徴とする請求項９に記載の記録装置。
【請求項１２】
前記走査手段による走査の方向に従って、前記第１と第２のイオン放出部の内、前記走査手段の走査の方向に関し、上流側のイオン放出部からのイオン放出が多いか、或いは、上流側のイオン放出部からのみイオンを放出するよう制御する制御手段をさらに有することを特徴とする請求項９に記載の記録装置。
【請求項１３】
前記イオン放出手段から放出する電荷は負であり、
前記荷電手段により前記記録媒体には正の電荷を荷電することを特徴とする請求項１乃至１２のいずれか１項に記載の記録装置。
【請求項１４】
前記イオン放出手段により放出されるイオンの極性と前記荷電手段により荷電される極性とを反転させる反転手段をさらに有することを特徴とする請求項１乃至１２のいずれか１項に記載の記録装置。
【請求項１５】
前記反転手段による極性の反転を所定の間隔で行うように制御することを特徴とする請求項１４に記載の記録装置。
【請求項１６】
記録ヘッドからインク液滴を記録媒体に吐出して記録を行う記録方法であって、
少なくとも前記記録ヘッドのインク吐出部と前記記録媒体との間の空間にイオンを放出するイオン放出工程と、
前記記録媒体に対して前記イオン放出工程において放出されたイオンの極性とは逆極性に荷電する荷電工程と、
前記記録ヘッドから、前記イオン放出工程においてイオンが放出された空間を経て、前記荷電工程において荷電された記録媒体にインクを吐出して記録を行う記録工程とを有することを特徴とする記録方法。
【請求項１７】
前記記録工程において記録がなされた記録媒体を除電する除電工程をさらに有することを特徴とする請求項１６に記載の記録方法。
【請求項１８】
前記記録工程における記録のために前記記録ヘッドから吐出され、前記記録に用いられることなく浮遊するインクミストを回収する回収工程をさらに有することを特徴とする請求項１６又は１７に記載の記録方法。
【手続補正２】
【補正対象書類名】明細書
【補正対象項目名】００２４
【補正方法】変更
【補正の内容】
【００２４】
なお、その回収手段は、前記荷電手段と同じ極性をもつ電極と、その電極により回収されたインクミストのインクを貯留する吸収体を含む収集部とを有することが望ましい。
【手続補正３】
【補正対象書類名】明細書
【補正対象項目名】００２６
【補正方法】変更
【補正の内容】
【００２６】
例えば、イオン放出手段を、記録媒体の記録領域の端部に設けるようにし、そのイオン放出手段に、イオンを発生するイオン発生部と、そのイオン発生部によって発生したイオンを拡散させるファンとを有するようにすることもできる。
【手続補正４】
【補正対象書類名】明細書
【補正対象項目名】００２９
【補正方法】変更
【補正の内容】
【００２９】
また、別の態様としては、前記記録ヘッドを往復走査する走査手段をさらに備える場合には、イオン放出手段は、その走査手段による走査の方向に関し、記録ヘッドの両端に第１と第２のイオン放出部を設けるように構成し、さらに、これら第１と第２のイオン放出部には夫々、走査手段による走査の方向に空気を取り込む開口部を設けるようにすることもできる。
【手続補正５】
【補正対象書類名】明細書
【補正対象項目名】００３０
【補正方法】変更
【補正の内容】
【００３０】
この場合、走査手段による走査の方向に従って、第１と第２のイオン放出部の内、走査手段の走査の方向に関し、上流側のイオン放出部からのイオン放出が多いか、或いは、上流側のイオン放出部からのみイオンを放出するよう制御することが望ましい。
【手続補正書】
【提出日】平成19年12月25日(2007.12.25)
【手続補正１】
【補正対象書類名】特許請求の範囲
【補正対象項目名】請求項４
【補正方法】変更
【補正の内容】
【請求項４】
前記記録領域を挟んで前記回収手段が設けられる位置とは反対側に前記インクミストを前記回収手段の方向に移動させるファンをさらに有することを特徴とする請求項１乃至３のいずれか１項に記載の記録装置。
【手続補正２】
【補正対象書類名】特許請求の範囲
【補正対象項目名】請求項５
【補正方法】変更
【補正の内容】
【請求項５】
前記記録領域と前記回収手段が設けられる位置との間に、前記記録領域側の空気を前記回収手段が設けられる位置に対して送るファンをさらに有することを特徴とする請求項１乃至３のいずれか１項に記載の記録装置。
【手続補正３】
【補正対象書類名】特許請求の範囲
【補正対象項目名】請求項６
【補正方法】変更
【補正の内容】
【請求項６】
前記記録ヘッドによる前記記録媒体への記録領域において、前記記録ヘッドのインク吐出面に対し前記記録媒体を挟んで対向する側に第２の電極をさらに設け、
前記第２の電極に電圧を印加することにより前記記録媒体の前記記録ヘッドのインク吐出面との対向面を帯電させることを特徴とする請求項１乃至５のいずれか１項に記載の記録装置。
【手続補正４】
【補正対象書類名】特許請求の範囲
【補正対象項目名】請求項７
【補正方法】変更
【補正の内容】
【請求項７】
前記インクミストは負に帯電することを特徴とする請求項１乃至６のいずれか１項に記載の記録装置。
【手続補正５】
【補正対象書類名】特許請求の範囲
【補正対象項目名】請求項８
【補正方法】変更
【補正の内容】
【請求項８】
前記第１の電極と前記第２の電極には正電圧が印加されることを特徴とする請求項２又は６に記載の記録装置。
【手続補正６】
【補正対象書類名】特許請求の範囲
【補正対象項目名】請求項９
【補正方法】変更
【補正の内容】
【請求項９】
前記記録ヘッドを往復移動させる走査手段と、
前記走査手段による走査方向に沿って前記記録媒体を支えるプラテンと、
前記プラテンに沿って前記記録ヘッドから吐出されたインクを吸収するインク吸収体とをさらに有することを特徴とする請求項１乃至８のいずれか１項に記載の記録装置。
【手続補正書】
【提出日】平成19年12月21日(2007.12.21)
【手続補正１】
【補正対象書類名】特許請求の範囲
【補正対象項目名】全文
【補正方法】変更
【補正の内容】
【特許請求の範囲】
【請求項１】
中間転写体の受像層に転写体を介して印刷ヘッドを圧接させて画像を印刷する印刷手段と、
前記中間転写体を券回し、この券回した中間転写体を送り出す送出側コア及びこの送出側コアから送り出される前記中間転写材を巻き取る巻取側コアと、
前記送出側コアを内部に収容し、前記巻取側コアを外部に位置させる着脱自在なカセットと、
前記印刷手段により前記中間転写体の受像層に印刷された画像を被転写体に転写する転写手段と
を具備することを特徴とする印刷装置。
【請求項２】
前記カセット内に設けられ、前記カセットが取り外された状態において前記送出側コアの送出動作を規制する規制手段を備えたことを特徴とする請求項１記載の印刷装置。
【請求項３】
前記カセット内に設けられ、前記中間転写体をクリ−ニングするクリーニング手段を備えたことを特徴とする請求項１記載の印刷装置。
【請求項４】
前記カセットの外面部に設けられ、前記巻取側コアを一時的に保持する保持部を備えたことを特徴とする請求項１記載の印刷装置。
【手続補正書】
【提出日】平成19年12月14日(2007.12.14)
【手続補正１】
【補正対象書類名】特許請求の範囲
【補正対象項目名】全文
【補正方法】変更
【補正の内容】
【特許請求の範囲】
【請求項１】
インクジェット記録装置に配されたインクジェット記録ヘッドに対して供給されるインクを収納するインクタンクにおいて、
前記インクタンクは、前記インクを直接収納するインク収納部と、前記記録ヘッドのインク導入口と連通する開口と、該開口を介して前記インク導入口に出入り動作可能に構成された連通管と、を具え、
前記連通管はインク流路を具えており、該インク流路は前記連通管が前記開口を介して前記インク導入口内に挿入された状態で前記インク収納部と前記記録ヘッドとを連通してインク供給可能とされ、前記インクタンク内に収納された状態では前記インク収納部を外部から密閉した状態とするよう構成されていることを特徴とするインクタンク。
【請求項２】
前記インクタンクと連通管との間には弾性部材が配されており、該弾性部材は少なくとも前記連通管の前記インク流路を前記インクタンク内に収納する方向に付勢していることを特徴とする請求項１に記載のインクタンク。
【請求項３】
前記インクジェット記録装置には前記弾性部材の付勢に抗して前記連通管を前記開口から外部に押し出すための押圧部材を具えており、前記インクタンクには前記押圧部材を受け入れ、前記押圧部材による前記連通管の押圧を可能にする挿入口が設けられていることを特徴とする請求項２に記載のインクタンク。
【請求項４】
前記インクタンクの開口及び挿入口から前記インク収納部内のインクがインクタンクの外部に漏れないようにシール部材を具えていることを特徴とする請求項３に記載のインクタンク。
【請求項５】
前記連通管は前記挿入口に面しており、前記押圧部材によって直接押圧可能に構成されていることを特徴とする請求項３に記載のインクタンク。
【請求項６】
前記挿入口には可撓性材料で構成されたシート体が配されており、前記押圧部材によって該シート体を介して前記連通管が押圧可能に構成されていることを特徴とする請求項３に記載のインクタンク。
【請求項７】
前記インクジェット記録装置に具えられた押圧部材は、前記インクタンクの装着動作に伴って移動するように構成されており、前記インクタンクの外装には前記押圧部材を移動させるためのガイドが設けられていることを特徴とする請求項３に記載のインクタンク。
【請求項８】
前記インクタンクの開口は、前記インクタンクの使用状態の底面に配されていることを特徴とする請求項１に記載のインクタンク。
【請求項９】
前記インクタンクのインク収納部は、可撓性のシート体と弾性体を具えて構成され、インク収納部内にインクを直接収納しているとともに、前記インク収納部の状況に応じて前記インクタンクの外部から前記インク収納部内に大気を導入する弁を具えて構成されていることを特徴とする請求項１に記載のインクタンク。
【請求項１０】
前記インクジェット記録装置に対して非装着状態のインクタンクのインク収納部内には、前記インクジェット記録装置に装着されて機能している状態の圧力と同等もしくは、それより高い圧力状態でインクが充填されていることを特徴とする請求項９に記載のインクタンク。
【請求項１１】
インクジェット記録装置に配されたインクジェット記録ヘッドに対して供給されるインクを直接収納するインク収納部と、前記記録ヘッドのインク導入口と連通する開口と、該開口を介して前記インク導入口に出入り動作可能に構成され且つ前記インクタンクとの間にインクタンク内に収納される方向に付勢する弾性部材を具えた連通管と、前記連通管に動作を行なわせるための外部からの動作伝達を可能にする挿入口を具えており、前記連通管はインク流路を具え、該インク流路は前記連通管が前記開口を介して前記インク導入口内に挿入された状態で前記インク収納部と前記記録ヘッドとを連通してインク供給可能とされ、前記インクタンク内に収納された状態では前記インク収納部を外部から密閉した状態とするよう構成されたインクタンクの装填部と、
前記インクタンクに設けられた弾性部材の付勢に抗して前記連通管を前記開口から外部に押し出すための押圧部材と、を具えたことを特徴とするインクジェット記録装置。
【請求項１２】
前記押圧部材は、前記インクタンクの前記装填部への装填後に、独立して操作されてインクタンクの連通管を押圧することを特徴とする請求項１１に記載のインクジェット記録装置。
【請求項１３】
前記押圧部材は、前記インクタンクの外装に設けられたガイドに沿った動作を可能にする前記ガイドに係合するガイド接触部材を有していることを特徴とする請求項１１に記載のインクジェット記録装置。
【手続補正２】
【補正対象書類名】明細書
【補正対象項目名】００１５
【補正方法】変更
【補正の内容】
【００１５】
本発明は、上述の技術課題に着目し、これを改善するために鋭意検討した結果得られたものであり、インクジェット記録装置に配されたインクジェット記録ヘッドに対して供給されるインクを収納するインクタンクにおいて、前記インクタンクは、前記インクを直接収納するインク収納部と、前記記録ヘッドのインク導入口と連通する開口と、該開口を介して前記インク導入口に出入り動作可能に構成された連通管と、を具え、前記連通管はインク流路を具えており、該インク流路は前記連通管が前記開口を介して前記インク導入口内に挿入された状態で前記インク収納部と前記記録ヘッドとを連通してインク供給可能とされ、前記インクタンク内に収納された状態では前記インク収納部を外部から密閉した状態とするよう構成されていることを特徴とする。
【手続補正３】
【補正対象書類名】明細書
【補正対象項目名】００２３
【補正方法】変更
【補正の内容】
【００２３】
さらに、インクタンクのインク収納部は、可撓性のシート体と弾性体を具えて構成され、インク収納部内にインクを直接収納しているとともに、前記インク収納部の状況に応じて前記インクタンクの外部から前記インク収納部内に大気を導入する弁を具えて構成されている。
【手続補正４】
【補正対象書類名】明細書
【補正対象項目名】００２５
【補正方法】変更
【補正の内容】
【００２５】
加えて、インクジェット記録装置に配されたインクジェット記録ヘッドに対して供給されるインクを直接収納するインク収納部と、前記記録ヘッドのインク導入口と連通する開口と、該開口を介して前記インク導入口に出入り動作可能に構成され且つ前記インクタンクとの間にインクタンク内に収納される方向に付勢する弾性部材を具えた連通管と、前記連通管に動作を行なわせるための外部からの動作伝達を可能にする挿入口を具えており、前記連通管はインク流路を具え、該インク流路は前記連通管が前記開口を介して前記インク導入口内に挿入された状態で前記インク収納部と前記記録ヘッドとを連通してインク供給可能とされ、前記インクタンク内に収納された状態では前記インク収納部を外部から密閉した状態とするよう構成されたインクタンクの装填部と、
前記インクタンクに設けられた弾性部材の付勢に抗して前記連通管を前記開口から外部に押し出すための押圧部材と、を具えたことを特徴とする。
【手続補正書】
【提出日】平成19年12月12日(2007.12.12)
【手続補正１】
【補正対象書類名】特許請求の範囲
【補正対象項目名】全文
【補正方法】変更
【補正の内容】
【特許請求の範囲】
【請求項１】
表示部を前面に向けた状態で可変表示装置を内部に設けた筐体と、該筐体の前面に開閉可能に取り付けられた前面枠と、を備えたスロット遊技機において、
前記前面枠は、
前記可変表示装置の表示部に対応する位置に可変表示用開口部を開設した樹脂製のメインパネルと、
該メインパネルの上端に連結された樹脂製の上部パネルと、
前記メインパネルと前記上部パネルとの左右両側部に、メインパネルと上部パネルとの連結箇所を跨いで設けられた金属製の縦長な補強フレームと、
を備え、
前記メインパネルは、
当該メインパネルの左右両側縁からメイン側壁を後方へ向けて延設し、
該メイン側壁のうち前記メインパネルの内側に縦長な第１補強フレーム収納空間をメインパネルの上端から上下方向の中間に亘って設定し、
前記上部パネルは、
当該上部パネルの左右両側縁から上部側壁を後方へ向けて延設し、
当該上部パネルの略全幅に亘って横長な装飾用開口部を開設し、遊技の進行に伴って装飾演出を行う装飾ユニットを前記装飾用開口部から前方へ臨ませる状態で備え、
該装飾用開口部の左右両側縁から開口窓側壁を後方へ向けて延設して前記上部側壁に対向させ、互いに対向した上部側壁と開口窓側壁との間に形成された空間の後部および後方を第２補強フレーム収納空間とし、
前記第１補強フレーム収納空間に前記補強フレームの下部を、第２補強フレーム収納空間に前記補強フレームの上部をそれぞれ収納して、補強フレームを前面枠のうち該前面枠の上部に配設される装飾ユニット側に位置させたことを特徴とするスロット遊技機。
【請求項２】
前記した左右の補強フレームのうち、一方に前面枠用施錠ユニットを設け、他方に前面枠を筐体に対して開閉可能に取り付けるヒンジユニットを接続したことを特徴とする請求項１に記載のスロット遊技機。
【請求項３】
前記補強フレームの下端と前記メインパネルの下端との間に亘って樹脂製の不正防止兼補強パネルを設けたことを特徴とする請求項１または請求項２に記載のスロット遊技機。
【請求項４】
前記メインパネルは、前記第１補強フレーム収納空間よりも下方の前面を後方へ凹ませて凹み部を形成し、該凹み部に遊技媒体用の受皿を取り付けたことを特徴とする請求項１から請求項３のいずれかに記載のスロット遊技機。
【手続補正２】
【補正対象書類名】明細書
【補正対象項目名】０００６
【補正方法】変更
【補正の内容】
【０００６】
本発明は、上記目的を達成するために提案されたものであり、請求項１に記載のものは、表示部を前面に向けた状態で可変表示装置を内部に設けた筐体と、該筐体の前面に開閉可能に取り付けられた前面枠と、を備えたスロット遊技機において、
前記前面枠は、
前記可変表示装置の表示部に対応する位置に可変表示用開口部を開設した樹脂製のメインパネルと、
該メインパネルの上端に連結された樹脂製の上部パネルと、
前記メインパネルと前記上部パネルとの左右両側部に、メインパネルと上部パネルとの連結箇所を跨いで設けられた金属製の縦長な補強フレームと、
を備え、
前記メインパネルは、
当該メインパネルの左右両側縁からメイン側壁を後方へ向けて延設し、
該メイン側壁のうち前記メインパネルの内側に縦長な第１補強フレーム収納空間をメインパネルの上端から上下方向の中間に亘って設定し、
前記上部パネルは、
当該上部パネルの左右両側縁から上部側壁を後方へ向けて延設し、
当該上部パネルの略全幅に亘って横長な装飾用開口部を開設し、遊技の進行に伴って装飾演出を行う装飾ユニットを前記装飾用開口部から前方へ臨ませる状態で備え、
該装飾用開口部の左右両側縁から開口窓側壁を後方へ向けて延設して前記上部側壁に対向させ、互いに対向した上部側壁と開口窓側壁との間に形成された空間の後部および後方を第２補強フレーム収納空間とし、
前記第１補強フレーム収納空間に前記補強フレームの下部を、第２補強フレーム収納空間に前記補強フレームの上部をそれぞれ収納して、補強フレームを前面枠のうち該前面枠の上部に配設される装飾ユニット側に位置させたことを特徴とするスロット遊技機である。
【手続補正３】
【補正対象書類名】明細書
【補正対象項目名】００１０
【補正方法】変更
【補正の内容】
【００１０】
本発明によれば、以下のような優れた効果を奏する。
請求項１に記載の発明によれば、表示部を前面に向けた状態で可変表示装置を内部に設けた筐体と、該筐体の前面に開閉可能に取り付けられた前面枠と、を備えたスロット遊技機において、前面枠は、可変表示装置の表示部に対応する位置に可変表示用開口部を開設した樹脂製のメインパネルと、該メインパネルの上端に連結された樹脂製の上部パネルと、メインパネルと上部パネルとの左右両側部に、メインパネルと上部パネルとの連結箇所を跨いで設けられた金属製の縦長な補強フレームとを備え、メインパネルは、当該メインパネルの左右両側縁からメイン側壁を後方へ向けて延設し、該メイン側壁のうちメインパネルの内側に縦長な第１補強フレーム収納空間をメインパネルの上端から上下方向の中間に亘って設定し、上部パネルは、当該上部パネルの左右両側縁から上部側壁を後方へ向けて延設し、当該上部パネルの略全幅に亘って横長な装飾用開口部を開設し、遊技の進行に伴って装飾演出を行う装飾ユニットを装飾用開口部から前方へ臨ませる状態で備え、該装飾用開口部の左右両側縁から開口窓側壁を後方へ向けて延設して前記上部側壁に対向させ、互いに対向した上部側壁と開口窓側壁との間に形成された空間の後部および後方を第２補強フレーム収納空間とし、第１補強フレーム収納空間に前記補強フレームの下部を、第２補強フレーム収納空間に前記補強フレームの上部をそれぞれ収納して、補強フレームを前面枠のうち該前面枠の上部に配設される装飾ユニット側に位置させたので、前面枠のうちメインパネルと上部パネルとの連結箇所および装飾ユニットを取り付けた周辺部分を十分に補強できるとともに、装飾ユニットを取り付けていない前面枠の下側部分が過度な強度に設定されることを防ぐことができる。したがって、前面枠の強度の最適化を図ることができ、スロット遊技機の製造コストの低減を図ることができる。
【手続補正書】
【提出日】平成20年1月21日(2008.1.21)
【手続補正１】
【補正対象書類名】明細書
【補正対象項目名】００４３
【補正方法】変更
【補正の内容】
【００４３】
本発明の１つの実施形態は、吐出開口部２４を被覆および封止するためにキャップ３を含む流体ディスペンサを提供する。キャップ３には、ピン３ａと孔部３ｂが設けられている。ピン３ａは、ヘッド１６に位置する吐出開口部２４にはまる。孔部３ｂは、通気手段として機能する。この孔部３ｂを通して空気を送ることによって、使用後に残留している過剰な流体が蒸発できるようになり、そのため、汚染に対するより一層の保護が得られる。
【手続補正２】
【補正対象書類名】図面
【補正対象項目名】図１
【補正方法】変更
【補正の内容】
【図１】
2006175199.tif 000001
【手続補正書】
【提出日】平成19年11月16日(2007.11.16)
【手続補正１】
【補正対象書類名】明細書
【補正対象項目名】００２０
【補正方法】変更
【補正の内容】
【００２０】
（インプリント処理あり；溶媒として比誘電率４．３のジエチルエーテルを使用）
平均繊維径０．６５μｍの極細ガラス繊維６０重量％、平均繊維径２．７０μｍの極細ガラス繊維３５重量％、平均繊維径６μｍのチョップドガラス繊維５重量％を、濃度０．５％、硫酸酸性ｐＨ２．５でパルパーにて離解した後、手抄筒を用いて抄紙し、１２０℃×１０分間乾燥させてシートを得た。次に、エチレン／酢酸ビニル共重合体２５（製造元：和光純薬工業（株））と、鋳型分子となるｐ−ｔ−ブチルフェノール（製造元：和光純薬工業（株））を重量比で２：１となるようにジエチルエーテル（比誘電率：４．３）に溶解させた溶液を前記シートに付与し、余分な液を吸引濾過により除去した後、真空下でジエチルエーテルを蒸発させた。次に、このシートをアセトンで洗浄し、ｐ−ｔ−ブチルフェノールを除去した。こうして、目付重量７０ｇ／ｍ２、樹脂付着量７．１重量％のシートを得た。
（シートの吸着性能の評価）：
シートの吸着性能の評価は、以下のようにして行った。まずシートを直径２５ｍｍの円形に切り抜き、フィルターホルダーで固定した。これを用いて、濃度１００ｍｇ／L・のｐ−ｔ−ブチルフェノール／アセトン溶液２ｍｌを濾過した。濾過前後の溶液をガスクロマトグラフに導入して、各溶液中のｐ−ｔ−ブチルフェノール量を測定し、ｐ−ｔ−ブチルフェノール除去率（％）を計算した。
【手続補正２】
【補正対象書類名】明細書
【補正対象項目名】００２３
【補正方法】変更
【補正の内容】
【００２３】
【表１】
2006175407.tif 000001
インプリント処理を施した実施例１においては、インプリント処理を施していない比較例１に比べて、ｐ−ｔ−ブチルフェノール除去率が高く、インプリントによる認識部位形成の効果が見られる。また、シート上のｐ−ｔ−ブチルフェノール保持率も非常に高く、ｐ−ｔ−ブチルフェノールが認識部位において強く結合していることがわかる。
【手続補正３】
【補正対象書類名】明細書
【補正対象項目名】００２５
【補正方法】変更
【補正の内容】
【００２５】
また、溶媒としてジエチルエーテルを用いた比較例２においては、インプリント処理を施していない比較例１に比べて、ｐ−ｔ−ブチルフェノール除去率およびｐ−ｔ−ブチルフェノール保持率ともに高くなっていることから、インプリントによる効果がみられている。しかし溶媒としてトルエンを用いた実施例１に比べて、インプリントの効果はかなり低くなっている。このことより、インプリントの効果を強くするためには、比誘電率の低い溶媒を用いることが重要である。
【手続補正書】
【提出日】平成19年11月29日(2007.11.29)
【手続補正１】
【補正対象書類名】特許請求の範囲
【補正対象項目名】全文
【補正方法】変更
【補正の内容】
【特許請求の範囲】
【請求項１】
ボールを貯留するボール容器と、ボール量を計量するボール計量器と、上記ボール容器と上記ボール計量器とを傾斜させる駆動装置とからなるボール供給装置において、上記ボール計量器は、上記ボールの入口と、上記ボールを計量する計量部と、計量された上記ボールを分離貯留する分離貯留部と、上記ボールの出口とからなり、上記入口と上記計量部は第1経路で連通し、上記計量部と上記分離貯留部は第２経路で連通し、上記分離貯留部と上記出口は第3経路で連通することを特徴とするボール供給装置。
【請求項２】
前記入口には、前記ボール容器を取付ける取付部が設けられていることを特徴とする請求項１記載のボール供給装置。
【請求項３】
ボールをヘッドに供給するボール供給装置と、上記ボールを搭載する基板の所定位置に対応する位置に開口が設けられたマスクと、上記ボール供給装置から供給された上記ボールを移動させて上記開口に振込む上記ヘッドとからなるボール振込装置において、上記ボール供給装置は、ボール計量器に供給する上記ボールを貯留するボール容器と、このボール容器を上記ボール計量器に取付ける取付部と、上記ボール容器から入れた上記ボールを計量する上記ボール計量器と、上記ボール容器と上記ボール計量器を傾斜させる駆動装置とからなることを特徴とするボール振込装置。
【手続補正２】
【補正対象書類名】明細書
【補正対象項目名】発明の名称
【補正方法】変更
【補正の内容】
【発明の名称】ボール供給装置及びボール振込装置